(57)【特許請求の範囲】
【請求項１】
広告データベースと、番号記憶手段と、制御手段を備えるカラオケ装置であって、
広告データベースは、複数の広告番組データと、各広告番組データに割り当てられた広告グループ番号を記憶し、
番号記憶手段は、当該カラオケ装置に割り当てられた装置グループ番号を記憶し、
制御手段は、第１〜第２処理からなる広告表示処理を行い、
第１処理は、広告番組データベースから広告番組データを選出し、
第２処理は、選出された広告番組データの広告グループ番号と番号記憶手段が記憶する装置グループ番号とが所定の関係にある場合に第１処理に戻り、そうでない場合には選出された広告番組データを表示出力する
カラオケ装置。
【発明の詳細な説明】
【０００１】
【発明が属する技術分野】
この発明は、広告掲示機能を備えたカラオケ装置に関し、とくに、放映しない広告を指定できるカラオケ装置に関する。
【０００２】
【従来の技術】
カラオケ伴奏音楽の演奏休止期間などに広告番組を映像出力するカラオケ装置が知られている。これは、多数の広告番組を広告データベースに格納して備え、予約リストに楽曲が登録されていないときや次の楽曲の演奏開始までの間などの伴奏音楽の出力休止期間に広告番組をディスプレイに映像出力して放映するものである。放映する広告番組は、広告データベースに格納されている多数の番組の中から所定の方法により選出する。例えば番組をジャンル別に分類して演奏楽曲のジャンルに合わせて放映するものや、同一の番組が連続しないように公平に放映する工夫をこらしたもの、放映する場面や頻度などを広告主の要望に叶った形で放映するものなどが知られている。
【０００３】
【発明が解決しようとする課題】
たくさんの物や情報があふれている現在では、広告で見た物をすぐに買いたがる若者や、選択に迷ったときに広告で見たものを選んだりする人は少なくない。広告で見たメッセージは印象も強く説得力もある。広告は多くの人の生活の中にとけ込んでおり、流行の変化も早い今日の社会で広告の果たす役割は大きい。そのような状況で企業は熾烈な広告競争を繰り広げている。この状況はカラオケ装置で放映される広告についても同様である。
【０００４】
従来の広告掲示機能つきカラオケ装置は、広告番組を無作為に放映するものだけではなく、先述のように放映に広告主側の意図を反映させる工夫がされたものもある。ただし、ここには実際に広告番組を放映するカラオケ店の意図をはさむ余地はない。しかしカラオケ店にとって放映したくない広告もある。例えばＡ社の関連会社であるカラオケ店ではＡ社の競合他社であるＢ社に関連する広告は放映したくない。また多数の支店をもつ一つのカラオケ会社の中でも、地域色の濃い広告では支店の所在地により放映の意義にばらつきが出たりする。
【０００５】
そこで本発明は、広告番組の変化の早さに対応しながら、カラオケネットワーク内では内容が統一された広告データベースを用いてカラオケ装置ごとに異なった広告番組放映の制限条件を設定できるようにすることを目的とする。
【０００６】
【課題を解決するための手段】
この発明に係るカラオケ装置は、広告放映の制限機能に特徴を有するものであって、つぎの事項（１）〜（６）により特定されるものである。
（１）広告データベースと、番号記憶手段と、制御手段を備えるカラオケ装置であること
（２）広告データベースは、複数の広告番組データと、各広告番組データに割り当てられた広告グループ番号を記憶すること
（３）番号記憶手段は、当該カラオケ装置に割り当てられた装置グループ番号を記憶すること
（４）制御手段は、第１〜第２処理からなる広告表示処理を行うこと
（５）第１処理は、広告番組データベースから広告番組データを選出すること
（６）第２処理は、選出された広告番組データの広告グループ番号と番号記憶手段が記憶する装置グループ番号とが所定の関係にある場合に第１処理に戻り、そうでない場合には選出された広告番組データを表示出力すること
【００１１】
【発明の実施の形態】
＝＝＝通信カラオケシステムの基本構成＝＝＝
この発明の実施例にかかるカラオケ装置のシステム構成を図１に示した。ホスト装置１と多数のカラオケ装置２とが電話回線やＩＳＤＮ回線などの公衆網３に接続されている。ホスト装置１はカラオケ事業者によって運営されるコンピュータであり、ホスト装置１から配信されるカラオケデータを各カラオケ装置２が蓄積しておき適宜に再生するシステムである。
【００１２】
一方、図２に例示したカラオケ装置では、内部にＣＰＵ・ＲＡＭ・ＲＯＭを含む中央制御部４が制御バスを介して各周辺構成部を制御・統括している。ハードディスク装置５はカラオケ楽曲の伴奏音楽データや歌詞データを含むカラオケデータを多数曲分蓄積している。中央制御部４は操作制御部６を介してリクエストを受け取ると、リクエスト入力の順番に従って該当のカラオケデータを処理していく。すなわち、リクエスト楽曲に対応するカラオケデータをハードディスク装置５から取り出し、含まれているカラオケ伴奏音楽データをシンセサイザー７に転送することによりカラオケ伴奏音楽を生成させる。シンセサイザー７にはカラオケ伴奏音楽を演奏する楽器に対応した複数の音源が含まれており、これにより生成されたカラオケ伴奏音楽と、マイクロホン８により採取した歌唱音声とをミキシングアンプ９にて混合しスピーカ１０から音響出力する。ディスプレイ１１には、映像制御部１２を介して入力された背景映像とともに、歌唱すべき箇所の色変えをともなった歌詞画像が表示される。
【００１３】
＝＝＝広告データベース＝＝＝
この実施例にかかるカラオケ装置は広告データベース１３も備えており、この中にはディスプレイ１１に映像出力する広告番組が多数格納されている。広告番組とは、あるひとまとまりの広告内容を映像表現する番組であり、企業の商品ＰＲやコンサート情報、新譜情報などがある。各番組データは番組タイトル名や広告主名、商品名などの内容指標データをインデックスとして広告データベース１３に管理されている。
【００１４】
各広告番組は主に数十秒から数分程度のＭＰＥＧ形式等の動画データや数コマ程度のＪＰＥＧ形式等の静止画データからなり、外部のホスト装置等から通信回線を通じて当該カラオケ装置に付帯する広告データベース１３に蓄積される。
【００１５】
＝＝＝カラオケ装置の掲示禁止指標データ＝＝＝
本実施例にかかるカラオケ装置の所定のメモリには、放映する広告番組の制限条件を示す掲示禁止指標データを適宜に設定できるようになっている。この掲示禁止指標データの具体的な内容は商品の種類やメーカ名等を示すものであり、複数設定することも可能である。複数設定されている場合にはその組み合わせでひとつの制限条件を表現していることになる。たとえばあるカラオケ装置に掲示禁止指標データとして「Ａ社」「ビール」が設定されていれば、このカラオケ装置ではＡ社のビールに関する広告番組は放映しないが、Ｂ社のビールに関する広告番組の放映には制限はないということを示す。
【００１６】
本実施例においては、掲示禁止指標データはホスト装置との適宜な通信の機会に、たとえばカラオケ装置を設置した場合や点検を行った際に、ホスト装置から当該カラオケ装置に送信することにより設定できる。
【００１７】
＝＝＝広告番組の放映制御＝＝＝
中央制御部４は広告放映が可能な機会に、たとえばカラオケ伴奏音楽が所定の時間以上休止したり演奏予約がなくなったりした場合に、広告データベースにアクセスし、所定のアルゴリズムに従って広告番組データを選出する。
【００１８】
次に、選出された広告番組データに付帯する内容指標データとカラオケ装置の掲示禁止指標データとを対照し、その内容が一致するか否かを調査する。その結果、一致しなかった場合は放映する。
【００１９】
一致した場合にはその広告番組データの放映は行わず、別の広告番組データを先と同様のアルゴリズムで選出する。再度広告番組データの内容指標データとカラオケ装置の掲示禁止指標データとを対照し、放映するか否かの判断を行う。ここでも放映しない場合は、再度番組選出から放映判断までのステップを繰り返す。１番組放映することになるまでこれを繰り返す。
【００２０】
＝＝＝その他の実施例＝＝＝
上記の実施例では、カラオケ装置で広告番組を放映する機会が訪れるたびに広告番組データを選出し放映の制限条件に当てはまらないかどうかを判断する方式をとっている。しかし、カラオケ装置の処理の空き時間等に広告データベースの内容を事前に調査しておき、そのカラオケ装置で放映できる広告番組だけから番組を選出するようにしてもよい。
【００２１】
またカラオケ楽曲の歌詞などを表示するディスプレイとは別のサブディスレイを使用できるようにして常時広告番組を流せるようにしておいてもよい。
【００２２】
この発明における前記の内容指標データと掲示禁止指標データによる制御は、次のような応用例に展開することもできる。たとえば、前記の掲示禁止指標データに設定すべき内容が共通する多数のカラオケ装置に対して同じ装置グループ番号を割り当てる。同様に、内容指標データが共通する多数の広告番組に対して同じ広告グループ番号を割り当てる。あるカラオケ装置においてある広告番組が掲示候補になったとき、そのカラオケ装置の装置グループ番号とその広告番組の広告グループ番号とを対照し、両グループ番号が所定の関係にある場合（番号が一致するなど）には、その広告番組の放映を禁止する。
【００２３】
【発明の効果】
この発明にかかるカラオケ装置によれば、カラオケ装置ごとに異なる広告番組の放映が可能となる。しかもネットワーク内のカラオケ装置に均一のデータを配信することで実現できるため、新しい広告を追加する際などにも迅速に対応することが可能となる。これによりカラオケ装置での広告の効果が増大するため、カラオケ装置の設置店やカラオケ事業者の広告収入が増大する効果も期待できる。
【図面の簡単な説明】
【図１】この発明の一実施例にかかるカラオケシステムの構成例を示す図である。
【図２】この発明の一実施例にかかるカラオケ装置の構成例である。
【符号の説明】
１  ホスト装置
２  カラオケ装置
３  公衆網
４  中央制御部
５  ハードディスク装置
６  操作制御部
７  シンセサイザー
８  マイクロホン
９  ミキシングアンプ
１０  スピーカ
１１  ディスプレイ
１２  映像制御部
１３  広告データベース
【図１】
0003595270.tif 000002
【図２】
0003595270.tif 000003